(57)【特許請求の範囲】
【請求項１】
棒状化粧品を出没自在に収納する棒状化粧品容器において、
棒状化粧品の下部を保持する受皿と、
この受皿を上下方向へ摺動自在に内装し、棒状化粧品の少なくとも上端部を収納するスリーブと、
このスリーブを上下方向へ摺動自在に内装すると共に、上端に開口部を有する中筒と、
この中筒に対して軸方向への摺動を抑止すると共に、周方向へは回動自在に外装した外筒と、
前記中筒の開口部端に開閉自在に装着したキャップと、
前記外筒又は中筒に対して中筒又は外筒を回動させることにより、前記スリーブを棒状化粧品に先立って開口部から繰り出し、その先端で前記キャップを開放すると共に、最終的にはスリーブと棒状化粧品とを中筒の開口部から突出させる位置まで繰り出す昇降機構と、を具備し、
前記昇降機構が、
前記受皿の筒壁外面に突設した第一突子と、
前記スリーブの筒壁軸方向に沿って透設した第一案内溝及び筒壁外面に突設した第二突子と、
スリーブ側の上記第一案内溝に重なるように前記中筒の筒壁軸方向に沿って透設した第二案内溝及び前記第二突子を係合させるべく前記中筒の筒壁軸方向に沿って透設したカム溝と、
前記外筒の筒壁内面に前記スリーブ側の第一案内溝及び中筒側の第二案内溝に同時に貫通させた受皿側の前記第一突子の先端を係合させるように刻設した螺溝と、によって構成し、
前記カム溝は、前記中筒の筒壁軸方向に沿って透設した案内部及び該案内部の上端側に筒壁の周方向の一側上方へ屈曲して連続するカム部を具備し、
前記第一案内溝は、下端部に周方向へ切り欠いて連設したＬ部を具備し、
前記棒状化粧品の収納時には、前記Ｌ部内に前記受皿の前記第一突子を係合させることを特徴とする棒状化粧品容器。
【請求項２】
前記第二突子が前記カム溝の前記案内部を上昇し、更に前記カム部の上端に係合した高さで前記スリーブの上昇を止めると共に、前記スリーブが上死点に達する直前に、前記カム部の側方への形成長の範囲内で前記スリーブを周方向へ回動させ、該スリーブの周方向への回動により、前記受皿の前記第一突子に対して前記第一案内溝の前記Ｌ部を周方向へ回動させ、前記第一案内溝と前記第二案内溝が重合する位置で両者の係合を外す請求項１記載の棒状化粧品容器。
【請求項３】
前記中筒が、開口部を有する基筒の下方に、前記外筒に内装する嵌合筒を連続形成して成るものである請求項１又は２記載の棒状化粧品容器。
【請求項４】
前記第一案内溝及びカム溝が、前記嵌合筒の周面軸方向に沿って透設して成るものである請求項３記載の棒状化粧品容器。
【請求項５】
前記受皿とスリーブが、それぞれ中筒に対して周方向への回動を略抑制された状態で上下方向へスライドするように構成して成るものである請求項１乃至４のいずれかに記載の棒状化粧品容器。
【請求項６】
前記スリーブが中筒の開口部から繰り出された後、所定の時間差をおいて棒状化粧品がスリーブの上端から進出するように構成した請求項１乃至５のいずれかに記載の棒状化粧品容器。
【請求項７】
受皿が下降し、棒状化粧品がスリーブ内に繰り入れられた状態でスリーブが中筒内に収容されるように構成した請求項１乃至６のいずれかに記載の棒状化粧品容器。
【請求項８】
棒状化粧品を出没自在に収納する棒状化粧品容器において、
棒状化粧品の下部を保持する受皿と、
この受皿を上下方向へ摺動自在に内装し、棒状化粧品の少なくとも上端部を収納するスリーブと、
このスリーブを上下方向へ摺動自在に内装すると共に、上端に開口部を有する中筒と、
この中筒に対して周方向へ回動自在に外装するラセン筒と、
このラセン筒に対して周方向へ回動自在に外装されると共に、前記中筒に対して固定される外筒と、
前記中筒の開口部端に開閉自在に装着したキャップと、
前記外筒又はラセン筒に対してラセン筒又は外筒を回動させることにより、前記スリーブを棒状化粧品に先立って中筒の開口部から繰り出し、その先端で前記キャップを開放すると共に、最終的にはスリーブと棒状化粧品を中筒の開口部から突出させる位置まで繰り出す昇降機構と、を具備し、
前記昇降機構が、
受皿の筒壁外面に側方へ突出するように形成した第一突子と、
スリーブの筒壁軸方向に沿って透設した第一案内溝、及びカム溝と、
スリーブ側の前記第一案内溝に重なるように中筒の筒壁軸方向に沿って透設した第二案内溝、及び同じくスリーブ側に透設したカム溝に係合させるべく中筒の筒壁内面に突設した第二突子と、
ラセン筒の筒壁内面に前記スリーブ側の第一案内溝及び中筒側の第二案内溝に同時に貫通させた受皿側の第一突子の先端を係合させるように刻設した螺溝と、
によって構成し、
前記カム溝は、前記中筒の筒壁軸方向に沿って透設した案内部及び該案内部の下端側に連続し、周方向の一側下方へ屈曲するカム部を具備し、
前記第一案内溝は、下端部に周方向へ切り欠いて連設したＬ部を具備し、
前記棒状化粧品の収納時には、前記Ｌ部内に前記受皿の前記第一突子を係合させることを特徴とする棒状化粧品容器。
【請求項９】
前記スリーブは、前記カム部の下端が前記中筒の前記第二突子に係止される高さで上昇を止めると共に、上死点に達する直前で、前記カム部の側方への形成長の範囲内で前記スリーブを周方向へ回動させ、該スリーブの周方向への回動により、前記受皿の前記第一突子に対して前記第一案内溝の前記Ｌ部を周方向へ回動させ、前記Ｌ部による係合を外す請求項８記載の棒状化粧品容器。
【請求項１０】
前記中筒の開口部縁が、蓋体のヒンジ部側へ傾斜するように構成して成るものである請求項１乃至８のいずれかに記載の棒状化粧品容器。
【請求項１１】
前記中筒の開口部に装着されるキャップが、常時開口部を閉鎖する方向へ付勢して成るものである請求項１乃至１０のいずれかに記載の棒状化粧品容器。
【発明の詳細な説明】
【０００１】
【発明の属する技術分野】
本発明は、口紅、アイシャドー等の棒状に形成された化粧品（以下「棒状化粧品」という）を内装し、所望により化粧品の上端部を容器の開口部から繰り出して使用することのできる蓋付きの棒状化粧品容器に係り、特に中筒に対する外筒又はラセン筒の相対的な回動操作によりスリーブ及び棒状化粧品を中筒の開口部から出没させることができる棒状化粧品容器に関するものである。
【０００２】
【従来の技術】
従来より、この種の繰り出し式の棒状化粧品容器として、例えば実開昭５８−８８９１４号や実開昭５８−８０９２０号等に記載されたものが知られている。これらの棒状化粧品容器は、前者にあっては主筒（中筒）に対して回転筒（外筒）を所定範囲で回動させることにより主筒の上端を回転筒の上方へ突出させることにより蓋体（キャップ）を開放し、その後に主筒内に収容されている棒状化粧品を回動させながら主筒から進出させるものであり、また後者にあっては基筒に外装した摺動筒（スリーブ）を所定範囲で回転上昇させて外筒の上方へ突出させ、摺動筒の上端によって蓋体（キャップ）を開放し、その後に摺動筒内に収容されている棒状化粧品を摺動筒から進出させる構造に成っている。
【０００３】
【発明が解決しようとする課題】
しかし、上記従来技術による棒状化粧品容器においては、何れも蓋体を開放する回転筒や摺動筒を上昇させる機構と、棒状化粧品を出没させる機構が上下別々の機構として構成されると共に、棒状化粧品を保持する受皿が操作時に回動する回転筒や摺動筒によって昇降動作を付与される構造に成っている。従って、昇降機構の構成が複雑に成るばかりでなく、使用に際して容器から棒状化粧品を出没させる場合に、棒状化粧品が容器に対して回転しながら進退する構造に成っているため、突出した棒状化粧品を使用者の好みの方向に向けて停止させることができず、棒状化粧品自体の使用感を向上するために、例えばその先端部位を特定方向へ細くしたり、又は傾斜させて使用方向を特定した形状に構成した場合に、この使用方向が使用時に回転筒や摺動筒の動作に連動して、使用者が意図しない位置で適当な方向に向いて停止してしまい、使用勝手が悪く成るという問題を有するものであった。また、特に蓋体（キャップ）を容器の開口端に開閉自在に装着した構造の棒状化粧品容器の場合、上記棒状化粧品の使用方向との関係で蓋体のヒンジ部を構成する必要があり、このヒンジ部の構成位置と棒状化粧品自体の使用方向を一致させる等の必要があった。
【０００４】
本発明に係る係る棒状化粧品容器は、上記の各問題を解決するために提案されたものでり、昇降機構の構成を簡略化すると共に、容器から棒状化粧品を出没させる際に、容器に対するキャップのヒンジ部構成側に対してスリーブ及びスリーブに内装される棒状化粧品（受皿）を円周方向への回動を略抑止した状態で上下方向へ進退させることができ、従って容器内に棒状化粧品を収納したままで、その使用方向を特定することができ、操作性及び使用感に優れた棒状化粧品容器を提供することを目的としている。
【０００５】
【課題を解決するための手段】
本発明の棒状化粧品容器に係る第一の発明は、棒状化粧品を出没自在に収納する棒状化粧品容器において、棒状化粧品の下部を保持する受皿と、この受皿を上下方向へ摺動自在に内装し、棒状化粧品の少なくとも上端部を収納するスリーブと、このスリーブを上下方向へ摺動自在に内装すると共に、上端に開口部を有する中筒と、この中筒に対して軸方向への摺動を抑止すると共に、周方向へは回動自在に外装した外筒と、前記中筒の開口部端に開閉自在に装着したキャップと、前記外筒又は中筒に対して中筒又は外筒を回動させることにより、前記スリーブを棒状化粧品に先立って開口部から繰り出し、その先端で前記キャップを開放すると共に、最終的にはスリーブと棒状化粧品とを中筒の開口部から突出させる位置まで繰り出す昇降機構と、を具備し、前記昇降機構が、前記受皿の筒壁外面に突設した第一突子と、前記スリーブの筒壁軸方向に沿って透設した第一案内溝及び筒壁外面に突設した第二突子と、スリーブ側の上記第一案内溝に重なるように前記中筒の筒壁軸方向に沿って透設した第二案内溝及び前記第二突子を係合させるべく前記中筒の筒壁軸方向に沿って透設したカム溝と、前記外筒の筒壁内面に前記スリーブ側の第一案内溝及び中筒側の第二案内溝に同時に貫通させた受皿側の前記第一突子の先端を係合させるように刻設した螺溝と、によって構成し、前記カム溝は、前記中筒の筒壁軸方向に沿って透設した案内部及び該案内部の上端側に筒壁の周方向の一側上方へ屈曲して連続するカム部を具備し、前記第一案内溝は、下端部に周方向へ切り欠いて連設したＬ部を具備し、前記棒状化粧品の収納時には、前記Ｌ部内に前記受皿の前記第一突子を係合させることを要旨としている。
【０００６】
上記第一の発明に係る棒状化粧品容器によれば、スリーブが中筒内に位置している状態で、棒状化粧品の少なくとも先端部をスリーブ内に完全に収納しており、中筒の開口部から棒状化粧品を出没させる際に、その先端部をキャップの裏面に衝突させて損傷することがない。
【０００８】
このような昇降機構によれば、従来の棒状化粧品容器のように、使用に際して容器からキャップを外すという操作を不用とし、単に外筒を回動させるだけで、中筒に対してスリーブと受皿に保持した棒状化粧品を周方向への回動を抑止した状態で中筒の開口部から出没させることができる。
【０００９】
上記中筒は、上部に開口させた基筒と、その下方に連続し、上記外筒に内装することができるやや小径の嵌合筒とによって形成し、上記第一案内溝及びカム溝は、嵌合筒の周面軸方向に沿って透設することによって、棒状化粧品容器の外形を一体的なスマートな形状にし、女性用の化粧用具としての意匠性を向上することができる。
【００１０】
上記スリーブは、使用に際して棒状化粧品に先立って中筒の開口部から繰り出され、その先端でキャップを開放した後に、棒状化粧品をスリーブの上端から進出させ、また収納時には受皿が下降し、棒状化粧品がスリーブ内に完全に繰り入れられた状態でスリーブを中筒内に後退させるように構成してある。従って、棒状化粧品の進退動作が常時スリーブによって保護された状態で、またスリーブに対して必要な量だけ突出させて使用することができるため、細めに形成した棒状化粧品を装着収容する場合でも、棒状化粧品に対してスリーブの外装による所定の強度が付与されるため、棒状化粧品自体の損傷を防止することができる。
【００１１】
本発明の棒状化粧品容器に係る第二の発明は、棒状化粧品を出没自在に収納する棒状化粧品容器において、棒状化粧品の下部を保持する受皿と、この受皿を上下方向へ摺動自在に内装し、棒状化粧品の少なくとも上端部を収納するスリーブと、このスリーブを上下方向へ摺動自在に内装すると共に、上端に開口部を有する中筒と、この中筒に対して周方向へ回動自在に外装するラセン筒と、このラセン筒に対して周方向へ回動自在に外装されると共に、前記中筒に対して固定される外筒と、前記中筒の開口部端に開閉自在に装着したキャップと、前記外筒又はラセン筒に対してラセン筒又は外筒を回動させることにより、前記スリーブを棒状化粧品に先立って中筒の開口部から繰り出し、その先端で前記キャップを開放すると共に、最終的にはスリーブと棒状化粧品を中筒の開口部から突出させる位置まで繰り出す昇降機構と、を具備し、前記昇降機構が、受皿の筒壁外面に側方へ突出するように形成した第一突子と、スリーブの筒壁軸方向に沿って透設した第一案内溝、及びカム溝と、スリーブ側の前記第一案内溝に重なるように中筒の筒壁軸方向に沿って透設した第二案内溝、及び同じくスリーブ側に透設したカム溝に係合させるべく中筒の筒壁内面に突設した第二突子と、ラセン筒の筒壁内面に前記スリーブ側の第一案内溝及び中筒側の第二案内溝に同時に貫通させた受皿側の第一突子の先端を係合させるように刻設した螺溝と、によって構成し、前記カム溝は、前記中筒の筒壁軸方向に沿って透設した案内部及び該案内部の下端側に連続し、周方向の一側下方へ屈曲するカム部を具備し、前記第一案内溝は、下端部に周方向へ切り欠いて連設したＬ部を具備し、前記棒状化粧品の収納時には、前記Ｌ部内に前記受皿の前記第一突子を係合させることを要旨としている。
【００１３】
上記第二の発明に係る棒状化粧品容器によれば、使用者が棒状化粧品容器を手に持った状態で、その上部に出没させる棒状化粧品の方向を特定することができると共に、外筒を握った状態でラセン筒を回転させることができるため、棒状化粧品容器の片手操作が可能に成る。
【００１４】
第一及び第二の発明に係る棒状化粧品容器において、中筒の開口部縁をキャップのヒンジ部側へ傾斜するように形成し、またこの中筒の開口部に装着するキャップを常時開口部を閉鎖する方向へ付勢するように装着することも可能である。従って、スリーブの上端がキャップの内面に当接してキャップを開放するときに、キャップの開き角度を小さくすることができると共に、スリーブがキャップを押し開ける力を小さくすることができる。
【００１５】
【発明の実施の形態】
本発明に係る棒状化粧品容器の好適な実施形態を図面に従って説明する。
【００１６】
図１は口紅やアイシャドー等の棒状化粧品Ｃを出没自在に収容した第一の発明に係る棒状化粧品容器１の外観を示すものであり、（ａ）は正面図、（ｂ）は背面図、（ｃ）は側面図、（ｄ）は棒状化粧品を繰り出した状態の側面図、図２は拡大側断面図、図３は分解斜視図、図４は棒状化粧品を収納した状態における昇降機構を示すものであり、（ａ）は第二案内溝側からみた側面図、（ｂ）はカム溝側からみた側面図、図５は棒状化粧品を突出させた状態における昇降機構を示すものであり、（ａ）は第二案内溝側からみた側面図、（ｂ）はカム溝側からみた側面図、図６は中筒開口部の他の実施形態を示す側面図である。
【００１７】
上記各図において、棒状化粧品容器１は、棒状化粧品Ｃの下端部を保持する受皿２と、この受皿２を上下方向へ摺動自在に内装し、かつ棒状化粧品Ｃの少なくとも上端部を収納する金属製のスリーブ３と、このスリーブ３を上下方向へ摺動自在に内装すると共に、上端側に開口部４ａを有する中筒４と、この中筒４に対して軸方向への摺動を抑止すると共に、周方向へは回動自在に外装して成る外筒５とによって一体化構成すると共に、上記中筒４の開口部４ａの端部にキャップ６を開閉自在に装着し、かつ上記各筒間に昇降機構を構成して成り、上記外筒５又は中筒４に対して中筒４又は外筒５を回動させることにより、上記スリーブ３を棒状化粧品Ｃに先立って中筒４の開口部４ａから繰り出し、その上端で上記キャップ６を開放すると共に、最終的にはスリーブ３と受皿２上に装着した棒状化粧品Ｃとを中筒４の開口部４ａの上方へ突出させるように構成したものである。（図３参照）。
【００１８】
上記受皿２、スリーブ３、中筒４及び外筒５は、それぞれ円筒状に形成されており、相互に嵌め合わせた状態で摺動又は回動させることができるように、順次内径と外径とが整合するように筒径を形成したものである。また、昇降機構は各筒間に突設した突子、及びこの突子が係合する案内溝やカム溝によって構成されている。
【００１９】
〔受皿の構造〕
受皿２は、上部に棒状化粧品Ｃを装着するための凹部２ａを形成すると共に、筒壁の下部外面には外側へ突出する第一突子７が形成してある。この第一突子７の形成部両側には筒壁の下端から切り欠いた２条のスリット２ｂ，２ｂが透設してあり、受皿２をスリーブ３内に嵌め合わせるときに第一突子７を筒壁の内側へ撓ませ、挿入作業の邪魔にならないように構成してある。
【００２０】
〔スリーブの構造〕
スリーブ３は、筒内に嵌め合わせた上記受皿２を下降させた場合、この受皿２の上部に装着した棒状化粧品Ｃの少なくとも上端部を完全に収納することができるだけの筒長を有しており、上端に棒状化粧品Ｃの上端部を出入させる開口部３ａが形成してある。このスリーブ３の筒壁一側には軸方向に沿って上下方向に延びる第一案内溝８を透設すると共に、他側筒壁の外面には外側へ突出する第二突子９が形成してある。また上記第一案内溝８は、下端部に周方向へ切り欠いて連設したＬ部８ａ（図示例においては、正面視において左方向へ向かう）を具備している。
【００２１】
この第一案内溝８は、棒状化粧品の収納時にはその下端Ｌ部８ａ内に、また使用時にはその上端部に上記受皿２の筒壁に突設した第一突子７を係合させ、スリーブ３内における受皿２の移動量を規制するものであり、少なくともスリーブ３内に完全に収納された棒状化粧品Ｃが、使用時にはその略全長をスリーブ３の開口部３ａの上方へ突出させることができるだけの溝長Ｓ１を有している。
また、上記第二突子９の形成部両側にはスリーブ３の筒壁下端から切り欠いた２条のスリット３ｂ，３ｂが透設してあり、スリーブ３を中筒４内に嵌め合わせるときに第二突子９を筒壁の内側へ撓ませ、挿入作業の邪魔にならないように構成してある。
【００２２】
スリーブ３の上記開口部３ａ周縁は、後述する中筒４の開口部４ａに対するキャップ６のヒンジ部構成側へ傾斜するように形成してある。中筒４の開口部４ａに対するスリーブ３の出没動作は、中筒４に対しては周方向への回動が略抑止され、開口部３ａが常時同一方向（ヒンジ部側）に向かった姿勢で行われるように成っている。
【００２３】
〔中筒の構造〕
中筒４は、筒内に嵌め合わせた上記スリーブ３を下降させた場合、このスリーブ３を筒内に完全に収納することができるだけの筒長を有しており、上端側にスリーブ３の上端側を出入させる開口部４ａが形成してある。この中筒４の筒壁一側には、スリーブ３側の上記第一案内溝８と重なるように軸方向に沿って上下方向に延びる第二案内溝１０が、また筒壁他側には同じくスリーブ３の筒壁に突設した第二突子９を係合させるべく、軸方向に沿って上下方向に延びるカム溝１１が透設してある。
【００２４】
上記第二案内溝１０は、スリーブ３側の第一案内溝８を経由してスリーブ３の筒壁外側へ突出させた受皿２側の第一突子７を貫通係合させるものであり、棒状化粧品Ｃの収納時にはその下端部に、また使用時にはその上端部に上記第一突子７を係合させて中筒４内における受皿２の移動量を規制すると共に、第一案内溝８の上端が第二案内溝１０の上端に一致する高さまでスリーブ３を上昇させて両者の溝位置を重合し、受皿２の筒壁に突設した上記第一突子７を両溝８，１０内で自在に昇降させることができるだけの溝長Ｓ２を有している（図４（ａ）参照）。
【００２５】
上記カム溝１１は、案内部１１ａの上端側に筒壁の周方向の一側上方へ屈曲して連続するカム部１１ｂ（図示例においては、正面視において右方向、上記スリーブ３の第一案内溝９のＬ部とは逆方向へ向かう）を具備している（図４（ｂ）参照）。このカム溝１１は、上記スリーブ３の上死点を特定するためのものであり、スリーブ３の上昇により外壁に突設した第二突子９がカム溝１１の案内部１１ａ内を上昇し、更にカム部１１ｂの上端に係合した高さでスリーブ３の上昇を止めると共に、スリーブ３が上死点に達する直前に、カム部１１ｂの側方への形成長の範囲内でスリーブ３を周方向へ僅かに回動させる。このスリーブ３の周方向への回動により、受皿２の筒壁外面に突設した第一突子７に対して第一案内溝８のＬ部８ａを周方向へ回動させ、第一案内溝８と第二案内溝１０が重合する位置で両者の係合を外すように成っている（図５（ａ）参照）。また、第二突子９がカム溝１１の傾斜したカム部１１ｂの上端に係止された状態では、スリーブ３自体の周方向への回動が抑止されるため、カム溝１１内における第二突子９の下降が止められ、スリーブ３が中筒４内で自然落下することはない（図５（ｂ）参照）。
【００２６】
カム溝１１による上記スリーブ３の周方向への回動により、スリーブ３の上下昇動作と受皿２、即ち棒状化粧品Ｃの上下動作との間に時間差を設けることができるため、「受皿２と共にスリーブ３が上昇し、その上端部の適当長が中筒４の開口部４ａから突出した後に棒状化粧品Ｃが上昇してスリーブ３の開口部３ａから所望長突出し、また棒状化粧品Ｃがスリーブ３内に下降収納された後に、スリーブ３が中筒４内に下降収納される」という本発明特有の動作が可能になる。
【００２７】
図示例において、上記中筒４は、開口部４ａを形成した基筒４ｂの下方に、外筒５に内装する嵌合筒４ｃを連続形成して成り、この嵌合筒４ｃの筒壁に上記昇降機構を構成する第二案内溝１０及びカム溝１１が透設してある。基筒４ｂと外筒５の外径は略同径に形成されており、外筒５を嵌合筒４ｃに外装した状態で段差のない一体的な外観を形成することができるように成っている。
【００２８】
〔外筒の構造〕
外筒５は、上端に開設した開口部５ａから中筒４の下端側を挿入し、中筒４に外装した状態で軸方向への摺動が抑止されると共に、周方向へは回動自在に嵌合された有底の筒状体である。この外筒５の筒壁内面には、上記スリーブ３の筒壁に透設した第一案内溝８、及び中筒４の筒壁に透設した第二案内溝１０に同時に貫通させた受皿２の第一突子７の先端を係合させる螺溝１２が螺刻してある。中筒４に対してこの外筒５を回動させると、上記螺溝１２に係合している受皿２の第一突子７が中筒４の第二案内溝１０に沿って昇降動作する。この螺溝１２の延長は、受皿２の第一突子７を中筒４の第二案内溝１０の上下端間で昇降させることができる範囲で形成してあり、回動方向を逆転操作することにより上昇動作と下降動作を繰り返し行うことができるように成っている。
【００２９】
図示例のように、外筒５を中筒４の基筒４ｂの下部に一体形成した嵌合筒４ｃに外装する構造に成る場合には、基筒４ｂと下部、又は嵌合筒４ｃの上部に形成した嵌合凸部１３に、外筒５の開口部５ａ内周に形成した嵌合凹部１４を嵌め合わせて軸方向への摺動を抑止すると共に、周方向へは自在に回動するように構成することができる。従って、中筒４の基筒４ｂを持って、外筒５を周方向へ回動させ、受皿２に突設した第一突子７を介して中筒４に対するスリーブ３の昇降動作と、スリーブ３に対する受皿２の昇降動作を順次行うことができ、受皿２の昇降動作により棒状化粧品Ｃの容器に対する出没を可能にする。この動作は、外筒５に対して中筒４を回動させることによっても行うことができることは勿論である。また、上記嵌合凸部１３と、嵌合凹部１４の構成を逆にすることも可能である。
【００３０】
〔キャップの構造〕
キャップ６は、上記中筒４、即ち図示例においては中筒４の基筒４ｂの上部に形成した開口部４ａを開閉するものであり、この開口部４ａの縁端に構成したヒンジ部４ｄにピン１５を用いて回動自在に軸支してある。このキャップ６は、スリーブ３の上端によって開口部４ａを開放する方向に押し上げられた場合、その回動側先端がスリーブ３の筒壁に当接した状態で係止されると共に、開き方向へ更に力を加えれば自由な開き角度に係止することもできるように成っている。
なお、上記ピン１５に代えて、例えば後述する第二の発明に係るキャップのヒンジ構造等によっても構成することができる。
【００３１】
また、このキャップ６によって開閉させる中筒４の開口部４ａは、図６に示すように、ヒンジ部４ｄ側へ傾斜させてスリーブ３や棒状化粧品Ｃの傾斜角度と一致させ、使用時の意匠性を向上すると共に、キャップ６の回動角度を小さくし、かつスリーブ３上端の進退方向に対するキャップ６の当接面を傾斜（Ｘ方向）させることによってキャップ６を押し上げる力を小さくし、キャップ６の開閉動作が軽いタッチでスムーズに行えるように構成することもできる。
【００３２】
図７は棒状化粧品Ｃを出没自在に収容した第二の発明に係る棒状化粧品容器２１の外観を示すものであり、（ａ）は正面図、（ｂ）は背面図、（ｃ）は側面図、（ｄ）は棒状化粧品を突出させた状態の側面図、図８は拡大側断面図、図９は分解斜視図、図１０はキャップの取付構造に係る他の実施の形態を示すものであり、（ａ）は中筒開口部の要部拡大斜視図、（ｂ）はキャップの掛止部の拡大斜視図、（ｃ）はヒンジ部の要部拡大側面図である。以下、上記第一の発明と異なる部分について説明する。
【００３３】
上記各図において、棒状化粧品容器２１は、棒状化粧品Ｃの下部を保持する受皿２２と、この受皿２２を上下方向へ摺動自在に内装し、上記棒状化粧品Ｃの少なくとも上端部を収納するスリーブ２３と、このスリーブ２３を上下方向へ摺動自在に内装すると共に、上端に開口部２４ａを有する中筒２４と、この中筒２４に対して周方向へ回動自在に外装するラセン筒２５と、このラセン筒２５に対して周方向へ回動自在に外装されると共に、上記中筒２４に対して固定される外筒２６と、上記中筒２４の開口部２４ａ端に開閉自在に装着したキャップ２７と、各筒間に構成した昇降機構によって構成し、上記外筒２６又はラセン筒２５に対してラセン筒２５又は外筒２６を回動させることにより、上記スリーブ２３を棒状化粧品Ｃに先立って中筒２４の開口部２４ａから繰り出し、その上端でキャップ２７を開放すると共に、最終的にはスリーブ２３と棒状化粧品Ｃを中筒２４の開口部２４ａから突出させるように構成したものである。
【００３４】
上記受皿２２、スリーブ２３、中筒２４、ラセン筒２５及び外筒２６は、それぞれ円筒状に形成されており、相互に嵌め合わせた状態で摺動又は回動させることができるように、順次内径と外径とが整合するように筒径を形成したものであり、また昇降機構が各筒間に突設した突子、及びこの突子が係合する案内溝やカム溝によって構成されているものであることは、上記第一の発明と同様である。
【００３５】
〔受皿の構造〕
即ち、受皿２２は、上部に棒状化粧品Ｃを装着するための凹部２２ａを形成すると共に、下部筒壁の外面には外側へ突出する第一突子２８が形成してある。この第一突子２８の形成部両側には、筒壁の下端から切り欠いた２条のスリット２２ｂ，２２ｂが透設してあり、受皿２２をスリーブ２３内に嵌め合わせるときに第一突子２８を筒壁の内側へ撓ませ、挿入操作の邪魔にならないように構成してある。
【００３６】
〔スリーブの構造〕
スリーブ２３は、筒内に嵌め合わせた上記受皿２２を下降させた場合、この受皿２２の上部に装着した棒状化粧品Ｃの少なくとも上端部を完全に収納することができるだけの筒長を有しており、上端部に棒状化粧品Ｃを出入させる開口部２３ａが形成してある。このスリーブ２３の筒壁一側には軸方向に沿って上下方向に延びる第一案内溝２９を、また他側には同じく上下方向に延びるカム溝３０が透設してある。
【００３７】
上記第一案内溝２９は、下端部に周方向へ切り欠いて連設したＬ部２９ａ（図示例においては、正面視において左方向へ向かう）を具備しており、棒状化粧品Ｃの収納時にはこのＬ部２９ａ内に、また使用時にはその上端部に上記受皿２２の筒壁外面に突設した第一突子２８を係合させ、スリーブ２３内における受皿２２の移動量を規制するものであり、少なくともスリーブ２３内に完全に収納された棒状化粧品Ｃを、使用時にはその略全長をスリーブ２３の開口部２３ａの上方へ突出させることができる程度の溝長Ｓ１を有している。
【００３８】
また、上記カム溝３０は、案内部３０ａの下端側に連続し、周方向の一側下方へ屈曲するカム部３０ｂ（図示例においては、正面視において左方向、上記第一案内溝２９のＬ部２９ａと同一方向へ向かう）を具備している。
このカム溝３０は、スリーブ２３の上死点を特定するためのものであり、スリーブ２３はカム部３０ｂの下端が中筒２６の内面に突設した後述する第二突子３１に係止される高さで上昇を止めると共に、上死点に達する直前で、カム部３０ｂの側方への形成長の範囲内でスリーブ２３を周方向へ僅かに回動させる。このスリーブ２３の周方向への回動により、受皿２２の筒壁外面に突設した第一突子２８に対して第一案内溝２９のＬ部２９ａを周方向へ回動させてＬ部２９ａによる係合を外すように成っている。
【００３９】
〔中筒の構造〕
中筒２４は、筒内に嵌め合わせた上記スリーブ２３を下降させた場合、このスリーブ２３を筒内に完全に収納することができるだけの筒長を有しており、上端側にスリーブ２３の上端側を出入させる開口部２４ａが形成してある。この中筒２４の筒壁一側には、スリーブ２３側の上記第一案内溝２９と重なるように軸方向に沿って上下方向に延びる第二案内溝３２が、また筒壁他側の内面にはスリーブ２３に透設したカム溝３０に係合させるべく、内側へ突出する第二突子３１が形成してある。この第二突子３１の形成部近傍には、第二突子３１を囲むように略Ｕ状のスリット３３が透設してあり、スリーブ２３を中筒２４内に嵌め合わせるときに第二突子３１を筒壁の外側へ撓ませ、挿入作業の邪魔にならないように構成してある。
【００４０】
上記第二案内溝３２は、スリーブ２３側の第一案内溝２９を経由してスリーブ２３の筒壁側方へ突出させた受皿２２側の第一突子２８を貫通係合させるものであり、棒状化粧品Ｃの収納時にはその下端部に、また使用時にはその上端部に上記第一突子２８を係合させて中筒２４内における受皿２２の移動量を規制すると共に、第一案内溝２９の上端が第二案内溝３２の上端と略一致する高さまでスリーブ２３を上昇させて両者の溝位置を重合し、受皿２２の筒壁に突設した上記第一突子２８を両溝２９，３２内で自在に昇降させることができるだけの溝長Ｓ２を有している。図示例において、上記中筒２４は、開口部２４ａを形成した基筒２４ｂの下方に、ラセン筒２５に内装する嵌合筒２４ｃを連続形成して成り、この嵌合筒２４ｃの筒壁に第二突子３１と第二案内溝３２が構成してある。
【００４１】
〔ラセン筒の構造〕
ラセン筒２５は、中筒２４に対して回動自在に外装されると共に、軸方向への摺動が抑止されるように成っている。このラセン筒２５の筒壁内面には、上記スリーブ２３の筒壁に透設した第一案内溝２９、及び中筒２４の筒壁に透設した第二案内溝３２に同時に貫通させた受皿２２側の第一突子２８の先端を係合させる螺溝３４が螺刻してある。中筒２４に対してこのラセン筒２５を回動させると、上記螺溝３４に係合している受皿２２側の第一突子２８が中筒２４の第二案内溝３２に沿って昇降動作する。この螺溝３４の延長は、受皿２２側の第一突子２８を中筒２４の第二案内溝３２の上下端間で昇降させることができる範囲で形成してあり、回動方向を逆転操作することによって上昇動作と下降動作を行うことができるように成っている。図示例において、ラセン筒２５は、開口部２５ａ側にその外径が中筒２４の基部２４ｂと略同径に成る操作筒２５ｂと、その下方にやや小径に連続する嵌合筒２５ｃを有しており、嵌合筒２５ｃには中筒２４の基筒２４ｂと略同じ外径を有する有底の外筒２６を外装することができるように成っている。
【００４２】
〔外筒の構造〕
外筒２６は、上記の如く、ラセン筒２５の下部、即ち嵌合筒２５ｃに回動自在に外装するものであり、底部内周に構成した係合部３５に中筒２４の下端に構成した係合凹部３６を嵌め合わせ、適宜両者を接着剤等により接合一体化する構造に成っている。即ち、外筒２６と中筒２４は、両者の嵌合部にラセン筒２５の嵌合筒２５ｃを介装した状態で、両下端部が係合部３５と係合凹部３６によって一体的に固定されている。
【００４３】
従って、ラセン筒２５は、その嵌合筒２５ｃを中筒２４と外筒２６の間に挟まれた状態で自在に回動させることができる。即ち、外筒２６を持って、ラセン筒２５の操作筒２５ｂ部分を周方向へ回動させることにより、受皿２２の筒壁外面に突設した第一突子２８を介して中筒２４に対するスリーブ２３の昇降動作と、スリーブ２３に対する受皿２２の昇降動作を順次行うことができ、受皿２２の昇降動作により棒状化粧品Ｃの棒状化粧品容器に対する出没を可能にする。この動作は、ラセン筒２５に対して外筒２６を回動させることによっても行うことができることは勿論である。
【００４４】
〔キャップの構造〕
キャップ２７は、上記中筒２４、即ち図示例においては中筒２４の基筒２４ｂの上部に形成した開口部２４ａを開閉するものであり、この開口部２４ａの縁端に構成したヒンジ部２４ｄに回動自在に軸支してある。このキャップ２７は、ヒンジ部２４ｄに横架設したピン３７を回動自在に挟持係合するすり割り状の掛止部２７ａを具備しており、ヒンジ部２４ｄとキャップ２７の掛止部２７ａ間にピン３７を圧入させるようにして回動自在に係合支持したものである。従って、使用に際してヒンジ部２４ｄに不用な荷重がかかった場合には、キャップ２７自体がピン３７から外れ、ヒンジ部２４ｄや係止部２７ａ等の破損を防止することができると共に、外れたキャップ２７は再び簡単にヒンジ部２４ｄに取り付けることもできる。
また、上記掛止部２７ａは、ピン３７をしっかりと挟持する構造に成っているため、任意の開放位置で停止させることができ、スリーブ２３の上端によってキャップ２７を開放させた場合、キャップ２７の回動側先端がスリーブ２３の筒壁に当接した状態で係止される。従って、キャップ２７が中筒２４の開口部２４ａから開ききって使用の邪魔になるようなことはない。
なお、上記ヒンジ部２４ｄにバネ３８等の弾性体を介装することにより、常時キャップ２７が開口部２４ａを閉鎖する方向へ付勢するように構成することもできる（図１０参照）。
【００４５】
【発明の効果】
本発明に係る棒状化粧品容器は、上記の如く、スリーブが中筒内に位置している状態で、棒状化粧品の少なくとも先端部をスリーブ内に完全に収納しており、中筒の開口部から棒状化粧品を出没させる際に、その先端部をキャップの裏面に衝突させて損傷することがない。
【００４６】
また、使用に際して容器からキャップを外すという操作が不用であり、単に外筒、又はラセン筒を回動させるだけで、中筒に対してスリーブと受皿に保持した棒状化粧品を周方向への回動を抑止した状態で中筒の開口部から出没させることができる。
【００４７】
第一の発明に係る棒状化粧品容器において、中筒が上部に開口させた基筒と、その下方に連続し、上記外筒に内装することができるやや小径の嵌合筒とによって形成してあるため、棒状化粧品容器の外形を一体的なスマートな形状にし、女性用の化粧用具としての意匠性を向上することができる。
【００４８】
また、スリーブが使用に際して中筒の開口部から繰り出され、上死点に係止された状態で受皿を上昇させることにより棒状化粧品をスリーブの上端から進出させ、また収納時には受皿が下降し、棒状化粧品がスリーブ内に完全に繰り入れられた状態でスリーブを中筒内に後退させるように構成してあるため、棒状化粧品の進退動作が常時スリーブによって保護され、かつスリーブに対して必要な量だけ突出させて使用することできるため、細めに形成した棒状化粧品を装着収容する場合でも、棒状化粧品に対してスリーブの外装による所定の強度が付与されて、棒状化粧品自体の損傷を防止することができる。
【００４９】
第二の発明に係る棒状化粧品容器においては、中筒と外筒の間にラセン筒を介装する構造に成っているため、外筒又はラセン筒に対してラセン筒又は外筒を回動させることにより、スリーブを棒状化粧品に先立って中筒の開口部から繰り出し、その上端で前記キャップを開放すると共に、最終的にはスリーブと棒状化粧品を中筒の開口部から突出させる位置まで繰り出すことができ、使用者が棒状化粧品容器を片手に持った状態で、その上部に出没させる棒状化粧品の方向を特定することができると共に、外筒を握った状態でラセン筒を回転させることができるので、棒状化粧品容器の片手操作が可能に成る。
【００５０】
なお、第一及び第二の発明に係る棒状化粧品容器において、中筒の開口部縁をキャップのヒンジ部側へ傾斜するように形成し、またこの中筒の開口部に装着するキャップを常時開口部を閉鎖する方向へ付勢するように装着してあるため、スリーブの上端がキャップの内面に当接してキャップを開放するときに、キャップの開き角度を小さくすることができると共に、スリーブがキャップを押し開ける力を小さくすることもできる等、本発明によって得られる効果は極めて大きい。
【図面の簡単な説明】
【図１】棒状化粧品を出没自在に収容した第一の発明に係る棒状化粧品容器の外観を示すものであり、（ａ）は正面図、（ｂ）は背面図、（ｃ）は側面図、（ｄ）は棒状化粧品を繰り出した状態の側面図である。
【図２】同じく棒状化粧品容器の拡大側断面図である。
【図３】同じく棒状化粧品容器の分解斜視図である。
【図４】同じく棒状化粧品を収納した状態における昇降機構を示すものであり、（ａ）は第二案内溝側からみた側面図、（ｂ）はカム溝側からみた側面図である。
【図５】同じく棒状化粧品を突出させた状態における昇降機構を示すものであり、（ａ）は第二案内溝側からみた側面図、（ｂ）はカム溝側からみた側面図である。
【図６】中筒開口部の他の実施の形態を示す側面図である。
【図７】棒状化粧品を出没自在に収容した第二の発明に係る棒状化粧品容器の外観を示すものであり、（ａ）は正面図、（ｂ）は背面図、（ｃ）は側面図、（ｄ）は棒状化粧品を突出させた状態の側面図である。
【図８】同じく拡大側断面面図である。
【図９】同じく分解斜視図である。
【図１０】キャップの取付構造に係る他の実施の形態を示すものであり、（ａ）は中筒開口部の要部拡大斜視図、（ｂ）はキャップの掛止部の拡大斜視図、（ｃ）はヒンジ部の要部拡大側面図である。
【符号の説明】
１，２１  棒状化粧品容器
２，２２  受皿
３，２３  スリーブ
４，２４  中筒
５，２６  外筒
２５  ラセン筒
６，２７  キャップ
７，２８  第一突子
８，２９  第一案内溝
９，３１  第二突子
１０，３２  第二案内溝
１１，３０  カム溝
１２，３４  螺溝
【図１】
0003892924.tif 000002
【図２】
0003892924.tif 000003
【図３】
0003892924.tif 000004
【図４】
0003892924.tif 000005
【図５】
0003892924.tif 000006
【図６】
0003892924.tif 000007
【図７】
0003892924.tif 000008
【図８】
0003892924.tif 000009
【図９】
0003892924.tif 000010
【図１０】
0003892924.tif 000011